(57)【要約】  情報伝送を行う通信装置間で処理負荷の分散を達成するため、本発明の情報通信システムは、第１通信装置から第２通信装置の方向に情報を伝送する第１伝送系と、第１伝送系とは逆方向に情報を伝送する第２伝送系、とを有し、第１伝送系および第２伝送系のいずれにおいても送信情報の一部が受信情報として受信される。
2016031194.tif 000002
【特許請求の範囲】
【請求項１】
第１通信装置から第２通信装置の方向に情報を伝送する第１伝送系と、
前記第１伝送系とは逆方向に情報を伝送する第２伝送系、とを有し、
前記第１伝送系および前記第２伝送系のいずれにおいても送信情報の一部が受信情報として受信される
情報通信システム。
【請求項２】
請求項１に記載の情報通信システムにおいて、
前記第１通信装置および前記第２通信装置の各々は、自装置が送信した送信情報と他方の通信装置から受信した受信情報とを用いて情報処理を行う情報処理手段を有する
情報通信システム。
【請求項３】
請求項１または２に記載の情報通信システムにおいて、
前記第１通信装置および前記第２通信装置の各々は、
他方の通信装置へ送信情報を送信する送信器と、
前記他方の通信装置から受信情報を受信する受信器と、
前記送信器のパラメータ調整時に、前記送信器から出力される送信信号を折り返して前記受信器へ入力させる切替手段と、
前記折り返された信号を受信した前記受信器の受信信号に基づいて前記送信器の送信パラメータを調整するパラメータ調整手段、とを有する
情報通信システム。
【請求項４】
他の通信装置へ第１伝送路を通して情報を送信する送信手段と、
前記他の通信装置から第２伝送路を通して情報を受信する受信手段、とを有し、
前記第１伝送路および前記第２伝送路のいずれも送信情報の一部が受信情報として受信される
通信装置。
【請求項５】
請求項４に記載の通信装置において、
前記送信手段により送信した送信情報と前記他方の通信装置から受信した前記受信情報とを用いて情報処理を行う情報処理手段を更に有する
通信装置。
【請求項６】
請求項４または５に記載の通信装置において、
前記送信手段のパラメータ調整時に、前記送信手段から出力される送信信号を折り返して前記受信手段へ入力させる切替手段と、
前記折り返された信号を受信した前記受信手段の受信信号に基づいて前記送信手段の送信パラメータを調整するパラメータ調整手段、とを更に有する
通信装置。
【請求項７】
第１通信装置および第２通信装置の各々が、伝送方向が逆の第１伝送系と第２伝送系とにより情報を送受信し、
前記第１伝送系および前記第２伝送系のいずれも送信情報の一部が受信情報として受信される
情報通信方法。
【請求項８】
請求項７に記載の情報通信方法において、
前記第１通信装置および前記第２通信装置の各々は、自装置が送信した送信情報と他方の通信装置から受信した受信情報とを用いて情報処理を行う
情報通信方法。
【請求項９】
請求項７または８に記載の情報通信方法において、
前記第１通信装置および前記第２通信装置の各々において他方の通信装置へ送信情報を送信する送信器のパラメータ調整時に、前記送信器から出力される送信信号を折り返して前記他方の通信装置から受信情報を受信する受信器へ入力させ、
前記折り返された信号を受信した前記受信器の受信信号に基づいて前記送信器の送信パラメータを調整する
情報通信方法。
【請求項１０】
送信手段によって他の通信装置へ第１伝送路を通して情報を送信し、
受信手段によって前記他の通信装置から第２伝送路を通して情報を受信し、
前記第１伝送路および前記第２伝送路のいずれによっても、送信情報の一部が受信情報として受信される
情報通信方法。
【請求項１１】
請求項１０に記載の情報通信方法において、
前記送信手段により送信した送信情報と前記他方の通信装置から受信した受信情報とを用いて情報処理を行う
情報通信方法。
【請求項１２】
請求項１０または１１に記載の情報通信方法において、
前記送信手段のパラメータ調整時に、前記送信手段から出力される送信信号を折り返して前記受信手段へ入力させ、
前記折り返された信号を受信した前記受信手段の受信信号に基づいて前記送信手段の送信パラメータを調整する
情報通信方法。
【請求項１３】
第１通信装置から第２通信装置の方向に第１乱数情報を伝送する第１伝送系と、
前記第１伝送系とは逆方向に第２乱数情報を伝送する第２伝送系、とを有し、
前記第１伝送系および前記第２伝送系のいずれにおいても、送信した送信乱数情報の一部が受信乱数情報として受信される
情報通信システム。
【請求項１４】
請求項１３に記載の情報通信システムにおいて、
前記第１通信装置および前記第２通信装置の各々は、自装置が送信した送信乱数情報と他方の通信装置から受信した受信乱数情報とを用いて暗号鍵を生成する暗号鍵生成手段を有する
情報通信システム。
【請求項１５】
請求項１３または１４に記載の情報通信システムにおいて、
前記第１通信装置および前記第２通信装置の各々は、
他方の通信装置へ送信乱数情報を送信する送信器と、
前記他方の通信装置から受信乱数情報を受信する受信器と、
前記送信器のパラメータ調整時に、前記送信器から出力される送信信号を折り返して前記受信器へ入力させる切替手段と、
前記折り返された信号を受信した前記受信器の受信信号に基づいて前記送信器の送信パラメータを調整するパラメータ調整手段、とを有する
情報通信システム。
【発明の詳細な説明】
【技術分野】
【０００１】
本発明は通信装置間で情報の送受信を行う情報通信システム、その情報通信方法および装置に関する。
【背景技術】
【０００２】
通信装置間のデータ伝送では、送信側から送信された情報のすべてが受信側で受信されるとは限らない。たとえばネットワークの負荷状態等によりパケット損失が発生する場合が知られているが、その他に、送信器、受信器およびそれらを接続する通信路からなる伝送系の特性として送信されたデータの一部しか受信器に届かない通信システムも存在する。このような通信システムの一例として量子鍵配送（ＱＫＤ: Quantum Key Distribution)システムについて簡単に説明する。【０００３】
情報の暗号化および復号化に必要な共有鍵は秘密情報として送信側と受信側との間で共有する必要があり、このような秘密情報を生成し共有する技術としてＱＫＤ技術が有力視されている。ＱＫＤ技術は、通常の光通信とは異なり、１ビットあたりの光子数を１個以下として乱数を伝送することにより、送信装置と受信装置との間で共通鍵を生成し共有することができる。このＱＫＤ技術は、従来のように計算量に基づく安全性ではなく、一度観測されてしまった光子を完全に観測前の量子状態に戻すことができないという量子力学の原理に基づく安全性を有している。【０００４】
ＱＫＤ技術では、暗号通信に用いるための暗号鍵を生成するまでに、いくつかのステップを実行しなければならない。以下、図１を参照しながら、代表的な暗号鍵の生成過程を説明する。【０００５】
図１に示すように、単一光子伝送では、前述したとおり、１ビットあたりの光子数を１個以下とした微弱光パルス列により乱数を量子チャネルを通して伝送する。ＱＫＤ方式としては、たとえば４つの量子状態を用いたＢＢ８４方式が広く知られている（非特許文献１）。送信器が原乱数を単一光子伝送により送信すると、その大部分は伝送路の損失等によって失われ、受信器で受信できたビットは送信ビットの極僅かとなり、これを生鍵と言う。たとえば、受信器で受信できるデータ量は送信データ量の１／１０００程度である。【０００６】
続いて、量子チャネル伝送で送信乱数の大部分が失われて受信された生鍵に対して、通常光強度の通信チャネル（古典チャネル）を用いて、基底照合、エラー訂正および秘匿増強処理が行われる。基底照合、エラー訂正および秘匿増強処理の各ステップにおいて、相手側に開示されたビットおよび盗聴可能性を排除するためのビットの除去が行われる。このように、伝送路により大部分の送信データが失われ、さらにその後の処理によりデータ除去が行われるような伝送系では最終的に得られる受信データ量は送信データ量に比べて非常に少なくなる。
【先行技術文献】
【非特許文献】
【０００７】
【非特許文献１】“QUANTUM CRYPTOGRAPHY, PUBLIC KEY DISTRIBUTION AND COIN TOSSING”IEEE Int. Conf. on Computers, Systems, and Signal Processing, Bangalore, India December 10-12, 1984, pp.175-179, Bennett, Brassard
【発明の概要】
【発明が解決しようとする課題】
【０００８】
上述したように、大部分の送信データが失われる伝送系では、送信データを処理する送信側と受信データを処理する受信側との間で、処理すべきデータ量に大きな偏りが発生し、送信側の処理負荷がより大きくなり、処理効率が低下するという問題が新たに生ずる。【０００９】
本発明の目的は、情報伝送を行う通信装置間で処理負荷の分散を達成できる情報通信システム、情報通信方法および装置を提供することにある。
【課題を解決するための手段】
【００１０】
本発明による情報通信システムは、通信装置間で情報の送受信を行う情報通信システムであって、第１通信装置から第２通信装置の方向に情報を伝送する第１伝送系と、前記第１伝送系とは逆方向に情報を伝送する第２伝送系と、を有し、前記第１伝送系および前記第２伝送系のいずれも送信情報の一部が受信情報として受信されることを特徴とする。【００１１】
本発明による通信装置は、他の通信装置との間で情報の送受信を行う通信装置であって、前記他の通信装置へ第１伝送路を通して情報を送信する送信手段と、前記他の通信装置から第２伝送路を通して情報を受信する受信手段と、を有し、前記第１伝送路および前記第２伝送路のいずれも送信情報の一部が受信情報として受信されることを特徴とする。【００１２】
本発明による情報通信方法は、通信装置間で情報の送受信を行う情報通信方法であって、第１通信装置および第２通信装置の各々が、伝送方向が逆の第１伝送系と第２伝送系とにより情報を送受信し、前記第１伝送系および前記第２伝送系のいずれも送信情報の一部が受信情報として受信される、ことを特徴とする。
【発明の効果】
【００１３】
本発明によれば、通信装置間で処理負荷を分散することが可能となる。
【図面の簡単な説明】
【００１４】
【図１】図１は量子鍵配送（ＱＫＤ）システムにおける情報処理ステップを説明するための模式図である。
【図２】図２は本発明の第１実施形態による情報通信システムの概略的構成を示すブロック図である。
【図３】図３は本発明の第２実施形態による情報通信システムの一構成例を示すブロック図である。
【図４】図４は本発明の第３実施形態による情報通信システムの一構成例を示すブロック図である。
【発明を実施するための形態】
【００１５】
＜実施形態の概要＞
本発明の実施形態によれば、通信装置間に設けられた伝送系で送信情報の一部が受信情報として受信される場合、伝送方向が互いに逆である一対の伝送系を設けることにより、通信装置間で処理負荷を分散することが可能となる。各通信装置において、送信情報を用いた所定の処理と受信情報を用いた所定の処理とを行う場合、通信装置間で処理負荷の均等化を達成でき、さらに十分な情報生成効率を得ることができる。また、各通信装置内に送信器と受信器の両方が設けられるので、送信データを自装置内の受信器で受信することができ、各通信装置内で送信器のパラメータ調整が可能となる。以下、本発明の実施形態について図面を用いて詳細に説明する。なお、図面中の矢印の向きは、一例を示すものであり、ブロック間の信号の向きを限定するものではない。
【００１６】
１．第１実施形態
図２に示すように、本発明の第１実施形態による情報通信システムは、第１通信装置１０と第２通信装置２０とが第１伝送系３１および第２伝送系３２により互いに逆方向に情報伝送を行うものとする。第１伝送系３１は第１通信装置１０から第２通信装置２０への一方向伝送を行い、第１通信装置１０の送信器１０１と、第２通信装置２０の受信器２０１と、送信器１０１と受信器２０１とを接続した第１伝送路３３とからなる。第２伝送系３２は、第１伝送系３１とは逆方向の一方向伝送を行い、第１通信装置１０の受信器１０２と、第２通信装置２０の送信器２０２と、送信器２０２と受信器１０２とを接続した第２伝送路３４とからなる。
【００１７】
第１通信装置１０は送信器１０１、受信器１０２およびデータ処理部１０３を有する。
データ処理部１０３は、送信器１０１の送信情報ＴＤ１と受信器１０２により受信された第２通信装置２０からの受信情報ＲＤ２とを入力し、それぞれに対して所定のデータ処理を実行する。第２通信装置２０は受信器２０１、送信器２０２およびデータ処理部２０３を有する。データ処理部２０３は、送信器２０２の送信情報ＴＤ２と受信器２０１により受信された第１通信装置１０からの受信情報ＲＤ１とを入力し、それぞれに対して所定のデータ処理を実行する。第１通信装置１０のデータ処理部１０３と第２通信装置２０のデータ処理部２０３とは、たとえば、同一の情報処理を実行して同種類の情報を生成することができる。
【００１８】
第１伝送系３１は第１通信装置１０から第２通信装置２０へ情報を伝送する方向を有し、その際、送信情報量よりも受信情報量のほうが少なくなる特性を有する。すなわち、送信器１０１から送信された送信情報ＴＤ１は第１伝送路３３および／または受信器２０１において部分的に失われ、送信情報ＴＤ１の一部のみが受信器２０１により受信情報ＲＤ１として受信される。
【００１９】
第２伝送系３２は、第１伝送系３１とは逆に、第２通信装置２０から第１通信装置１０へ情報を伝送する方向を有するが、第１伝送系３１と同様に、送信情報量よりも受信情報量のほうが少なくなる特性を有する。すなわち、送信器２０２から送信された送信情報ＴＤ２は第２伝送路３４を通して伝送され受信器１０２により受信される。その際、送信情報ＴＤ２は第２伝送路３４および／または受信器１０２において部分的に失われ、送信情報ＴＤ２の一部のみが受信器１０２により受信情報ＲＤ２として受信される。
【００２０】
したがって、データ処理部１０３はデータ量の大きい送信情報ＴＤ１とデータ量の比較的小さい受信情報ＲＤ２とを入力して処理を実行し、データ処理部２０３も同様に、データ量の大きい送信情報ＴＤ２とデータ量の比較的小さい受信情報ＲＤ１とを入力して処理を実行する。第１伝送系３１および３２が同様の伝送特性を有し、データ処理部１０３および２０３が同一の情報処理を実行するとすれば、第１通信装置１０と第２通信装置２０との間でデータ処理に関する負荷の偏りを小さくすることが可能となる。
【００２１】
上述したように、本実施形態によれば、互いに逆方向の伝送を行う一対の伝送系３１および３２を設けることにより、通信装置間での処理負荷の分散が可能となる。すなわち、通信装置間で処理負荷を均等化することができるので、処理能力を効率的に利用できる。
また各通信装置において送信情報と受信情報の両方を処理することで情報を生成できるので、所望の情報を効率的に生成可能となる。
【００２２】
２．第２実施形態
図３に示すように、本発明の第２実施形態による情報通信システムは、上述した第１実施形態をＱＫＤシステムに適用したものである。
【００２３】
図３において、通信装置Ａおよび通信装置Ｂは、量子チャネル伝送系Ｑ１および量子チャネル伝送系Ｑ２を用いて、乱数情報により変調された単一光子パルス列を互いに逆方向に伝送するものとする。量子チャネル伝送系Ｑ１は、通信装置Ａの送信器３０１と、通信装置Ｂの受信器４０１と、送信器３０１と受信器４０１とを接続する伝送路（量子チャネル）とからなる。量子チャネル伝送系Ｑ２は、通信装置Ｂの送信器４０２と、通信装置Ａの受信器３０２と、送信器４０２と受信器３０２とを接続する伝送路（量子チャネル）とからなる。なお、本実施形態では、量子チャネル伝送系Ｑ１およびＱ２の各伝送路は物理的に異なる光ファイバであってもよいし、同一の光ファイバに波長多重されてもよい。
【００２４】
また、通信装置Ａおよび通信装置Ｂは、古典チャネル伝送系Ｃを用いて、通常レベルの光パワーで光通信を行う。古典チャネル伝送系Ｃは、通信装置Ａの光通信部３０４と、通信装置Ｂの光通信部４０４と、光通信部３０４と光通信部４０４とを接続する伝送路（古典チャネル）とからなる。通信装置Ａおよび通信装置Ｂは、古典チャネル伝送系Ｃを用いて、同期処理のほかに、すでに述べたように他方の通信装置との間で基底照合、エラー訂正および秘匿増強処理を実行する。古典チャネル伝送系Ｃの古典チャネルは、量子チャネル伝送系Ｑ１およびＱ２と同じ光ファイバに波長多重により設けてもよい。また、同期処理のための同期チャネルを別の光ファイバに設けることもできる。
【００２５】
なお、古典チャネル伝送系Ｃの古典チャネルは、光通信ではなく、電気信号による電気通信路であってもよい。この場合、光通信部３０４および４０４は電気信号を送受信する通信部に置き換えればよい。
【００２６】
通信装置Ａは送信器３０１、受信器３０２、暗号鍵生成部３０３、光通信部３０４および制御部３０５を有する。暗号鍵生成部３０３は、第１実施形態におけるデータ処理部１０３に対応する。暗号鍵生成部３０３は、送信器３０１の送信情報（原乱数）ＴＤ１と受信器３０２により受信された通信装置Ｂからの受信情報ＲＤ２とを入力する。そして暗号鍵生成部３０３は、すでに述べたように光通信部３０４を通した通信装置Ｂとの基底照合、エラー訂正および秘匿増強処理により暗号鍵を生成する。制御部３０５は通信装置Ａの全体的な動作を制御する。
【００２７】
通信装置Ｂも基本的な構成は通信装置Ａと同様である。すなわち、通信装置Ｂは受信器４０１、送信器４０２、暗号鍵生成部４０３、光通信部４０４および制御部４０５を有する。暗号鍵生成部４０３は、第１実施形態におけるデータ処理部２０３に対応する。暗号鍵生成部４０３は、送信器４０２の送信情報（原乱数）ＴＤ２と受信器４０１により受信された通信装置Ａからの受信情報ＲＤ１とを入力する。そして暗号鍵生成部４０３は、すでに述べたように光通信部４０４を通した通信装置Ａとの基底照合、エラー訂正および秘匿増強処理により暗号鍵を生成する。制御部４０５は通信装置Ｂの全体的な動作を制御する。
【００２８】
量子チャネル伝送系Ｑ１では、通信装置Ａの送信器３０１が１ビット当たりの光子数が１フォトン以下の非常に微弱な光パルス列に送信情報（原乱数ビット情報）ＴＤ１を乗せ、量子チャネルを通して、通信装置Ｂの受信器４０１へ送信する。送信時の微弱な光パルス列は伝送路の途中で失われ、その一部のみが受信器４０１に到達する。受信器４０１は検出されたデータを受信情報ＲＤ１として暗号鍵生成部４０３へ出力する。上述したように、受信情報ＲＤ１の情報量は送信情報ＴＤ１の情報量よりたとえば１／１０００程度に減少する。
【００２９】
量子チャネル伝送系Ｑ２においても、通信装置Ｂの送信器４０２が１ビット当たりの光子数が１フォトン以下の非常に微弱な光パルス列に送信情報（原乱数ビット情報）ＴＤ２を乗せ、量子チャネルを通して、通信装置Ａの受信器３０２へ送信する。この場合、量子チャネル伝送系Ｑ１と伝送方向は逆である。送信時の微弱な光パルス列は伝送路の途中で失われ、その一部のみが受信器３０２に到達する。受信器３０２は検出されたデータを受信情報ＲＤ２として暗号鍵生成部３０３へ出力する。量子チャネル伝送系Ｑ１と同様に、受信情報ＲＤ２の情報量も送信情報ＴＤ２の情報量より同程度（１／１０００程度）に減少するものとする。
【００３０】
暗号鍵生成部３０３はデータ量の大きい送信情報ＴＤ１とデータ量のかなり小さい受信情報ＲＤ２とを入力する。暗号鍵生成部３０３は、送信情報ＴＤ１と相手側通信装置Ｂでの受信情報ＲＤ１とに対して古典チャネル伝送系Ｃを通して基底照合、エラー訂正および秘匿増強処理を実行することで、第１の暗号鍵を生成することができる。暗号鍵生成部４０３も同様に、データ量の大きい送信情報ＴＤ２とデータ量のかなり小さい受信情報ＲＤ１とを入力する。そして暗号鍵生成部４０３は、送信情報ＴＤ２と相手側通信装置Ａでの受信情報ＲＤ２とに対して古典チャネル伝送系Ｃを通して基底照合、エラー訂正および秘匿増強処理を実行することで、第２の暗号鍵を生成することができる。ここでは、伝送方向が逆の一対の量子チャネル伝送系Ｑ１およびＱ２において同程度の情報量減衰が生じているので、同程度の情報量を処理することとなり、暗号鍵生成部３０３および４０３の間で処理負荷の均等化を実現できる。
【００３１】
３．第３実施形態
本発明の第３実施形態による情報通信システムは、上述した第２実施形態による各通信装置に自己診断機能を追加したものである。具体的には、送信パラメータの調整機能とパラメータ調整モード時に送信光の経路を自装置内の受信器に入射するように変更する光経路切替機能とが追加される。
【００３２】
一般に、上述した微弱光パルスを送信する送信器の送信光強度などのパラメータを調整するには、当該微弱光パルスを受信する受信器が必要である。微弱光は１ビット当たり１フォトン以下の非常に微弱な光であるから、単一光子を検出できる検出器が必要であり、通常、アバランシェ・フォトダイオード(Avalanche Photo Diode)が用いられる。したがって、パラメータ調整は他方の通信装置の受信器を利用して行われる。
【００３３】
しかしながら、伝送路上に盗聴者がいる可能性があり、パラメータ調整の際に介入されるとＱＫＤの安全性を損なう虞がある。また、単一光子検出器は非常に高価であるから、パラメータ調整のためだけに受信器を装備することは合理的ではない。
【００３４】
本実施形態によれば、逆方向に伝送する一対の量子チャネル伝送系Ｑ１およびＱ２が設けられているために、各通信装置には量子チャネルの送信器と受信器が揃っている。したがって、この受信器をパラメータ調整用の単一光子受信器として利用することができる。
以下、図４を参照しながら、本実施形態について説明する。ただし、図４では、上述した第２実施形態による通信装置の暗号鍵生成部および光通信部が図示されていない。
【００３５】
図４に示すように、本実施形態による通信装置Ａには、送信器３０１の出力側に光スイッチ３１１が、受信器３０２の受信側に光スイッチ３１２がそれぞれ設けられている。さらに、受信器３０２の検出データを用いて送信器３０１の送信光強度等のパラメータを調整するパラメータ調整部３１３が設けられている。光スイッチ３１１および３１２の切替動作と、パラメータ調整部３１３の調整動作は制御部３０５により制御される。本実施形態による通信装置Ｂも同様に、送信器４０２の出力側に光スイッチ４１２が、受信器４０１の受信側に光スイッチ４１１がそれぞれ設けられている。さらに、受信器４０１の検出データを用いて送信器４０２の送信光強度等のパラメータを調整するパラメータ調整部４１３が設けられている。光スイッチ４１１および４１２の切替動作と、パラメータ調整部４１３の調整動作は制御部４０５により制御される。
【００３６】
通信装置Ａの光スイッチ３１１は入力ポートＰｉと出力ポートＰｏ１、Ｐｏ２とを有し、光スイッチ３１２は入力ポートＰｉ１、Ｐｉ２と出力ポートＰｏとを有する。光スイッチ３１１の入力ポートＰｉは送信器３０１の出力に、出力ポートＰｏ１は上述した量子チャネル伝送系Ｑ１に、出力ポートＰｏ２は光スイッチ３１２の入力ポートＰｉ２に、それぞれ光学的に接続されている。光スイッチ３１２の出力ポートＰｏは受信器３０２の入力に、入力ポートＰｉ１は上述した量子チャネル伝送系Ｑ２に、入力ポートＰｉ２は光スイッチ３１１の出力ポートＰｏ２に、それぞれ光学的に接続されている。
【００３７】
通常の動作状態であれば、制御部３０５は、光スイッチ３１１の入力ポートＰｉと出力ポートＰｏ１とが接続され、光スイッチ３１２の入力ポートＰｉ１と出力ポートＰｏとが接続されるように設定する。したがって、既に述べたように、量子チャネル伝送系Ｑ１およびＱ２を通して暗号鍵生成動作が実行される。
【００３８】
パラメータ調整時には、制御部３０５は、光スイッチ３１１の入力ポートＰｉと出力ポートＰｏ２とが接続され、光スイッチ３１２の入力ポートＰｉ２と出力ポートＰｏとが接続されるように設定する。したがって、送信器３０１から出力される微弱光信号は、光スイッチ３１１の出力ポートＰｏ２、光スイッチ３１２の入力ポートＰｉ２および出力ポートＰｏを通して受信器３０２に入射する。これによって、パラメータ調整部３１３は、受信器３０２による検出データを用いて、送信器３０１の送信光強度等のパラメータを調整することができる。なお、通信装置Ｂの光スイッチ４１１および４１２も同様に構成され動作するので説明は省略する。
【００３９】
上述したように、本実施形態によれば、各通信装置内に送信器からの送信光を自装置内の受信器へ折り返す光経路切替手段としての光スイッチを設ける。パラメータ調整モード時に、制御部は、光スイッチを送信光が自装置内の受信器に入射するように切り替えることで、自装置内でパラメータ調整を完結させることができ、ＱＫＤの安全性を損なうことなく送信器のパラメータ調整を行うことができる。
【００４０】
なお、上述した第１〜第３実施形態では、伝送方向が逆の一対の伝送系を例示したが、本発明はこれらの実施形態に限定されるものではなく、複数対の伝送系を有する通信システムであってもよい。
【００４１】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００４２】
この出願は、２０１４年８月２５日に出願された日本出願特願２０１４−１７００８７を基礎とする優先権を主張し、その開示の全てをここに取り込む。
【産業上の利用可能性】
【００４３】
本発明は、各々所定の伝送方向を有する複数の伝送系により情報伝送が行われる情報通信システム一般に適用可能である。
【符号の説明】
【００４４】
１０  第１通信装置
２０  第２通信装置
３１  第１伝送系
３２  第２伝送系
３３  第１伝送路
３４  第２伝送路
１０１  送信器
１０２  受信器
１０３  データ処理部
２０１  受信器
２０２  送信器
２０３  データ処理部
３０１  送信器
３０２  受信器
３０３  暗号鍵生成部
３０４  光通信部
３０５  制御部
３１１、３１２  光スイッチ
３１３  パラメータ調整部
４０１  受信器
４０２  送信器
４０３  暗号鍵生成部
４０４  光通信部
４０５  制御部
４１１、４１２  光スイッチ
４１３  パラメータ調整部
【図１】
2016031194.tif 000003
【図２】
2016031194.tif 000004
【図３】
2016031194.tif 000005
【図４】
2016031194.tif 000006
【国際調査報告】
2016031194.tif 000007
2016031194.tif 000008
2016031194.tif 000009
2016031194.tif 000010